【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
コンテンツデータを処理する情報処理装置において、
前記コンテンツデータのコンテンツを紹介する電子番組ガイド情報を取得する取得手段と、
前記取得手段により取得された前記電子番組ガイド情報に基づいて、前記コンテンツの種別を判別する種別判別手段と、
前記種別判別手段により判別された前記コンテンツの種別に応じて、前記コンテンツの音声データを処理する音声処理の設定を決定する音設定決定手段と
を備えることを特徴とする情報処理装置。
【請求項２】
前記音設定決定手段により決定された前記音声処理の設定に基づいて、前記音声データを処理する音声処理手段をさらに備える
ことを特徴とする請求項１に記載の情報処理装置。
【請求項３】
前記音声処理手段により処理された前記音声データに対応する音声を出力する音声出力手段をさらに備える
ことを特徴とする請求項２に記載の情報処理装置。
【請求項４】
前記音声データを処理し、前記音声データに対応する音声を出力する他の装置を電気的に接続する接続手段と、
前記接続手段により電気的に接続された前記他の装置に対して前記音声データを供給する音声データ供給手段と、
前記音設定決定手段により決定された前記音声処理の設定に基づいて、前記接続手段により電気的に接続された前記他の装置による、前記音声データ供給手段により供給された前記音声データに対する音声処理を制御する制御手段と
をさらに備えることを特徴とする請求項１に記載の情報処理装置。
【請求項５】
前記コンテンツの音声データを所定の記録媒体に記録する記録手段をさらに備える
ことを特徴とする請求項１に記載の情報処理装置。
【請求項６】
前記音設定決定手段により決定された前記音声処理の設定に基づいて、前記コンテンツの音声データを処理する音声処理手段をさらに備え、
前記記録手段は、前記音声処理手段により処理された前記音声データを前記記録媒体に記録する
ことを特徴とする請求項５に記載の情報処理装置。
【請求項７】
前記記録手段は、前記コンテンツの音声データと、前記音設定決定手段により決定された前記音声処理の設定に関する情報を関連付けて、前記記録媒体に記録する
ことを特徴とする請求項５に記載の情報処理装置。
【請求項８】
前記種別判別手段により判別された前記コンテンツの種別に応じて、前記コンテンツの音声データを圧縮する圧縮率を決定する圧縮率決定手段と、
前記圧縮率決定手段により決定された前記圧縮率により、前記コンテンツの音声データを圧縮する圧縮手段と
をさらに備え、
前記記録手段は、前記圧縮手段により圧縮された前記音声データを前記記録媒体に記録する
ことを特徴とする請求項５に記載の情報処理装置。
【請求項９】
コンテンツデータを処理する情報処理装置の情報処理方法であって、
前記コンテンツデータのコンテンツを紹介する電子番組ガイド情報の取得を制御する取得制御ステップと、
前記取得制御ステップの処理により制御されて取得された前記電子番組ガイド情報に基づいて、前記コンテンツの種別を判別する種別判別ステップと、
前記種別判別ステップの処理により判別された前記コンテンツの種別に応じて、前記コンテンツの音声データを処理する音声処理の設定を決定する音設定決定ステップと
を含むことを特徴とする情報処理方法。
【請求項１０】
コンテンツデータに関する処理を、コンピュータに行わせるプログラムにおいて、
前記コンテンツデータのコンテンツを紹介する電子番組ガイド情報の取得を制御する取得制御ステップと、
前記取得制御ステップの処理により制御されて取得された前記電子番組ガイド情報に基づいて、前記コンテンツの種別を判別する種別判別ステップと、
前記種別判別ステップの処理により判別された前記コンテンツの種別に応じて、前記コンテンツの音声データを処理する音声処理の設定を決定する音設定決定ステップと
を含むことを特徴とするプログラム。
【手続補正２】
【補正対象書類名】明細書
【補正対象項目名】００１０
【補正方法】変更
【補正の内容】
【００１０】
本発明の情報処理装置は、コンテンツデータのコンテンツを紹介する電子番組ガイド情報を取得する取得手段と、取得手段により取得された電子番組ガイド情報に基づいて、コンテンツの種別を判別する種別判別手段と、種別判別手段により判別されたコンテンツの種別に応じて、コンテンツの音声データを処理する音声処理の設定を決定する音設定決定手段とを備えることを特徴とする。
【手続補正３】
【補正対象書類名】明細書
【補正対象項目名】００１４
【補正方法】変更
【補正の内容】
【００１４】
コンテンツの音声データを所定の記録媒体に記録する記録手段をさらに備えるようにすることができる。
【手続補正４】
【補正対象書類名】明細書
【補正対象項目名】００１５
【補正方法】変更
【補正の内容】
【００１５】
前記音設定決定手段により決定された音声処理の設定に基づいて、コンテンツの音声データを処理する音声処理手段をさらに備え、記録手段は、音声処理手段により処理された音声データを記録媒体に記録するようにすることができる。
【手続補正５】
【補正対象書類名】明細書
【補正対象項目名】００１６
【補正方法】変更
【補正の内容】
【００１６】
前記記録手段は、コンテンツの音声データと、音設定決定手段により決定された音声処理の設定に関する情報を関連付けて、記録媒体に記録するようにすることができる。
【手続補正６】
【補正対象書類名】明細書
【補正対象項目名】００１７
【補正方法】変更
【補正の内容】
【００１７】
前記種別判別手段により判別されたコンテンツの種別に応じて、コンテンツの音声データを圧縮する圧縮率を決定する圧縮率決定手段と、圧縮率決定手段により決定された圧縮率により、コンテンツの音声データを圧縮する圧縮手段とをさらに備え、記録手段は、圧縮手段により圧縮された音声データを記録媒体に記録するようにすることができる。
【手続補正７】
【補正対象書類名】明細書
【補正対象項目名】００１８
【補正方法】変更
【補正の内容】
【００１８】
本発明の情報処理方法は、コンテンツデータのコンテンツを紹介する電子番組ガイド情報の取得を制御する取得制御ステップと、取得制御ステップの処理により制御されて取得された電子番組ガイド情報に基づいて、コンテンツの種別を判別する種別判別ステップと、種別判別ステップの処理により判別されたコンテンツの種別に応じて、コンテンツの音声データを処理する音声処理の設定を決定する音設定決定ステップとを含むことを特徴とする。
【手続補正８】
【補正対象書類名】明細書
【補正対象項目名】００１９
【補正方法】変更
【補正の内容】
【００１９】
本発明のプログラムは、コンテンツデータのコンテンツを紹介する電子番組ガイド情報の取得を制御する取得制御ステップと、取得制御ステップの処理により制御されて取得された電子番組ガイド情報に基づいて、コンテンツの種別を判別する種別判別ステップと、種別判別ステップの処理により判別されたコンテンツの種別に応じて、コンテンツの音声データを処理する音声処理の設定を決定する音設定決定ステップとをコンピュータに実行させる。
【手続補正９】
【補正対象書類名】明細書
【補正対象項目名】００２０
【補正方法】変更
【補正の内容】
【００２０】
本発明の情報処理装置および方法、並びにプログラムにおいては、コンテンツデータのコンテンツを紹介する電子番組ガイド情報が取得され、その取得された電子番組ガイド情報に基づいて、コンテンツの種別が判別され、その判別されたコンテンツの種別に応じて、コンテンツの音声データを処理する音声処理の設定が決定される。
【手続補正１０】
【補正対象書類名】明細書
【補正対象項目名】００２４
【補正方法】変更
【補正の内容】
【００２４】
本発明においては、コンテンツデータを処理する情報処理装置（例えば、図１のテレビジョン信号受信装置１）が提供される。この情報処理装置では、コンテンツデータのコンテンツを紹介する電子番組ガイド情報（例えば、図２のEPG情報６１）を取得する取得手段（例えば、図１のEPG取得部３１）と、取得手段により取得された電子番組ガイド情報に基づいて、コンテンツの種別を判別する種別判別手段（例えば、図１の番組種別判別部３４）と、種別判別手段により判別されたコンテンツの種別に応じて、コンテンツの音声データを処理する音声処理の設定を決定する音設定決定手段（例えば、図９のステップＳ８７の処理を実行する図１の音声処理部１３）とを備える。
【手続補正１１】
【補正対象書類名】明細書
【補正対象項目名】００２８
【補正方法】変更
【補正の内容】
【００２８】
コンテンツの音声データを所定の記録媒体（例えば、図１の記録媒体１９またはリムーバブルメディア２０）に記録する記録手段（例えば、図４の記録制御部７２）をさらに備えるようにすることができる。
【手続補正１２】
【補正対象書類名】明細書
【補正対象項目名】００２９
【補正方法】変更
【補正の内容】
【００２９】
前記音設定決定手段により決定された音声処理の設定に基づいて、コンテンツの音声データを処理する音声処理手段（例えば、図１０のステップＳ１０８の処理を実行する図１の音声処理部１３）をさらに備え、記録手段は、音声処理手段により処理された音声データを記録媒体に記録する（例えば、図１０のステップＳ１０９）ようにすることができる。
【手続補正１３】
【補正対象書類名】明細書
【補正対象項目名】００３０
【補正方法】変更
【補正の内容】
【００３０】
前記記録手段は、コンテンツの音声データと、音設定決定手段により決定された音声処理の設定に関する情報を関連付けて、記録媒体に記録する（例えば、図１１のステップＳ１２８）ようにすることができる。
【手続補正１４】
【補正対象書類名】明細書
【補正対象項目名】００３１
【補正方法】変更
【補正の内容】
【００３１】
前記種別判別手段により判別されたコンテンツの種別に応じて、コンテンツの音声データを圧縮する圧縮率を決定する圧縮率決定手段（例えば、図１２のステップＳ１４７の処理を実行する図１の音声処理部１３）と、圧縮率決定手段により決定された圧縮率により、コンテンツの音声データを圧縮する圧縮手段（例えば、図１２のステップＳ１４８の処理を実行する図１の音声処理部１３）とをさらに備え、記録手段は、圧縮手段により圧縮された音声データを記録媒体に記録する（例えば、図１２のステップＳ１４９）ようにすることができる。
【手続補正１５】
【補正対象書類名】明細書
【補正対象項目名】００３２
【補正方法】変更
【補正の内容】
【００３２】
本発明においては、コンテンツデータを処理する情報処理装置（例えば、図１のテレビジョン信号受信装置１）の情報処理方法が提供される。この情報処理方法においては、コンテンツデータのコンテンツを紹介する電子番組ガイド情報（例えば、図２のEPG情報６１）の取得を制御する取得制御ステップ（例えば、図６のステップＳ２１）と、取得制御ステップの処理により制御されて取得された電子番組ガイド情報に基づいて、コンテンツの種別を判別する種別判別ステップ（例えば、図７のステップＳ４２）と、種別判別ステップの処理により判別されたコンテンツの種別に応じて、コンテンツの音声データを処理する音声処理の設定を決定する音設定決定ステップ（例えば、図９のステップＳ８７）とを含む。
【手続補正１６】
【補正対象書類名】明細書
【補正対象項目名】００３３
【補正方法】変更
【補正の内容】
【００３３】
本発明においては、コンテンツデータに関する処理を、コンピュータ（例えば、図１のテレビジョン信号受信装置１）に行わせるプログラムが提供される。このプログラムは、コンテンツデータのコンテンツを紹介する電子番組ガイド情報（例えば、図２のEPG情報６１）の取得を制御する取得制御ステップ（例えば、図６のステップＳ２１）と、取得制御ステップの処理により制御されて取得された電子番組ガイド情報に基づいて、コンテンツの種別を判別する種別判別ステップ（例えば、図７のステップＳ４２）と、種別判別ステップの処理により判別されたコンテンツの種別に応じて、コンテンツの音声データを処理する音声処理の設定を決定する音設定決定ステップ（例えば、図９のステップＳ８７）とを含む。